(57)【特許請求の範囲】
【請求項１】
その内面にヒータを有する２本のアーチ形のスイングアームと、同心逆回転減速機と、これを駆動するモータとからなる頭髪加熱機であって、
該同心逆回転減速機は、同一の中心を有する２本の出力軸（出力軸部Ａと出力軸部Ｂ）を持ち、該出力軸が同じ回転速度であって互いに逆方向に回転する構成の減速機であるものとし、
該２本のスイングアームの端部に伝導部を設け、該伝導部を２本の該出力軸にそれぞれ連結したことを特徴とする頭髪加熱機。
【請求項２】
請求項１に記載した頭髪加熱機において、２本のアーチ形のスイングアームの外側にアーチ形の支持アームを設け、該支持アームの片方の端部に同心逆回転減速機をその出力軸部Ａと出力軸部Ｂがアーチ形の内側に向うようにして取り付け、該支持アームの他方の端部の内側に従動軸を取り付け、
２本のスイングアームの伝導部を該同心逆回転減速機の出力軸部Ａと出力軸部Ｂにそれぞれ連結し、該２本のスイングアームの該伝導部を取り付けた端部と反対側の端部に従導部を設け、該従導部を該支持アームに取り付けた該従動軸で支持し、
該同心逆回転減速機の該出力軸部Ａ及び該出力軸部Ｂ並びに該従動軸が同一の直線上に位置するようにしたことを特徴とする頭髪加熱機。
【請求項３】
請求項１又は請求項２に記載した頭髪加熱器において、同心逆回転減速機の出力軸部Ａを有する軸Ａを円筒形状とし、軸Ａと軸Ｂとを互いに同心に取り付け、軸Ａの内面と軸Ｂの外面との隙間に軸受を取り付けた同心逆回転減速機であることを特徴とする頭髪加熱機。
【請求項４】
請求項３に記載した頭髪加熱機において、同心逆回転減速機の軸Ｂの一部を出力軸部Ｂと反対側に突き出るようにして検知軸部とし、該検知軸部にスイッチ当てを取り付け、このスイッチ当てをセンサで検知することにより、スイングアームの原位置と下降端位置とを検知するようにしたことを特徴とする頭髪加熱機。
【請求項５】
頭髪にパーマ処理又は染色処理の薬品をつけた後に、
その内面にヒータを有する２本のアーチ形のスイングアームであって、その一方の端部において伝動部を介して同心逆回転減速機の出力軸部と連結し、常に互いに逆方向に旋回するスイングアームを有する頭髪加熱機を頭部に設置し、
該頭髪加熱機の該２本のスイングアームを原位置から下降端位置までの間を揺動させ、該ヒータが頭のてっぺんから肩の近くに至るまで順次頭髪を加熱し、
頭髪のパーマ処理又は染色処理を促進し、あるいはパーマや染色の程度を強くすることを特徴とする頭髪の処理方法。
【発明の詳細な説明】
【０００１】
【発明の属する技術分野】
頭髪のパーマには髪を加熱することが絶対に必要となるわけではないが、髪の質により強くパーマをかけないときれいに仕上がらなかったり、一度かけたパーマのウエーブを長い期間維持したい要望や、パーマに時間をかけたくない要望などがあり、必要に応じ頭髪を加熱処理している。また、頭髪の染色においても頭髪を加熱して染色処理を促進する方法が採られている。
本発明は洗髪後の髪の乾燥や頭髪のパーマ処理や染色処理などに使用する頭髪加熱機に関し、その内面にヒータを有する２本のアーチ形のスイングアームを、原位置から下降端位置の間を揺動させることにより、スイングアーム内面に取り付けたヒータが頭のてっぺんから肩の近くに至るまで、頭髪を加熱して髪を乾かしたりパーマ処理や染色処理を促進したり、パーマの程度を強くするためなどに使用される頭髪加熱機に関する。
【０００２】
【従来技術】
頭髪加熱機としては従来から、ドーナツ形の平板にヒータを取り付け、これを頭の上で移動させ加熱する方法が知られていたが、かかる方法では頭部の広い範囲を加熱するため頭が受ける熱エネルギが過大となり、パーマ処理を受ける人が熱さに対し大変な我慢をしなければならなかった。
また、熱エネルギが髪に強く当たる部位と弱く当たる部位とが生じ、一定の熱エネルギを当てようとすると、熱エネルギが過大となった部分の髪が変質したり変色するなどの問題を持っていた。
また、特開平１０−１１３２１８のように、ヒータを有する１本の半円形状の反射板を前頭部から後頭部まで往復運動させる発明が提案されているが、この発明では頭髪の温度を均一に上昇させることができない問題があった。
上記発明では１本のヒータを有する半円形状の反射板で約１８０度の範囲を往復運動して加熱するので、一度加熱した後に再度加熱するまでに時間がかかり過ぎ、この間に頭髪の温度が低下する部分が生じたからである。
本発明を完成する課程で、２本のアーチ形のスイングアームを、それぞれ別の減速機を介して２個のモータで駆動する頭髪加熱機を考えたが、この方法では装置が複雑で過大となる問題があった。
また２個のモータで別々に駆動すると、２本のスイングアームの位置にずれが発生する問題があった。これに対して、原位置と下降端位置で２本のスイングアームの位置をそろえて再起動する方法を考えたが、早く原位置や下降端位置に達したスイングアームがしばらく停止することになるため、熱エネルギを過大に与える部分が生じる問題が発生した。
【０００３】
【発明が解決しようとする課題】
本発明は上記した従来技術の欠点や２個のモータで２本のスイングアームを駆動する発明の欠点を除くためなされたものである。
その目的とするところは、その内面にヒータを有する２本のアーチ形のスイングアームを、原位置から下降端位置の間を揺動させることにより、スイングアーム内面に取り付けたヒータが頭のてっぺんから肩の近くに至るまで、頭髪を局部的に順次加熱するようにして、一度に過大な熱エネルギを頭部に与えないようにすることにある。
また、１本のスイングアームで加熱する範囲を約９０度程度として、スイングアームが往復する間に頭髪の温度が低下する問題を防止して、頭髪の温度を均一に上昇させることができるようにすることにある。
また、ヒータと頭髪との距離を一定に保ち均一に熱エネルギを頭髪に供給することにより、過大な熱エネルギを局部的に与えない構造として、頭髪の部分的な変質や変色をおこさないようにすることにある。
さらに、２本のスイングアームを１個のモータで駆動することにより、簡素な装置とすると共に、２本のスイングアームの位置ずれの発生を防止し、熱エネルギを過大に与える部分の発生を防止することにある。
【０００４】
【課題を解決する手段】
本発明は、その内面にヒータを有する２本のアーチ形のスイングアームと同心逆回転減速機とこれを駆動するモータとで頭髪加熱機を構成する。
ここで、同心逆回転減速機は同じ中心を持つ出力軸部Ａと出力軸部Ｂとを有し、モータの回転力をその回転数を減速しつつ出力軸部Ａと出力軸部Ｂに伝達し出力するが、出力軸部Ａと出力軸部Ｂとは同じ回転速度であって、互いに回転方向が逆になるように伝導するものとする。
そして、スイングアームの片方の端部に伝導部を設け、一方のスイングアームの伝導部を出力軸部Ａに連結し、他のスイングアームの伝導部を出力軸Ｂに連結する。
また、２本のアーチ形のスイングアームの外側にアーチ形の支持アームを設け、該支持アームの片方の端部に同心逆回転減速機を取り付け、他方の端部にアーチ形スイングアームの従導部を支持する従動軸を取り付ける。
【０００５】
【発明の実施の形態】
以下本発明の１実施例を図面に示し説明する。本発明に係る頭髪加熱機１は２本のスイングアーム２、３と同心逆回転減速機５とモータ６と支持アーム４とで構成している。支持アーム４の一方の端部の外側に同心逆回転減速機５とモータ６を取り付け、反対側の端部の内側に従動軸４ａを取り付ける。
側面視において、スイングアーム２、３の中央部は半円のアーチ形状を有しており、その断面は角を丸めた四角形状をしていて、内面２ａ、３ａにはヒータ（図示せず）が取り付けてある。スイングアーム２、３の両端には伝動部２ｂ、３ｂと従導部２ｅ、３ｅとが設けられている。
伝動部２ｂ、３ｂはそれぞれ同心逆回転減速機５の出力軸部Ａ１１ａ、出力軸部Ｂ１３ａに結合しセットボルトにより固定してある。一方、スイングアーム２、３の従導部２ｅ、３ｅは支持アーム４の従動軸４ａに回転自由に取り付けられている。ここで、同心逆回転減速機５の出力軸部Ａ１１ａ、出力軸部Ｂ１３ａと従動軸４ａとは同一直線上になるようにする。また、スイングアーム２、３は両端に伝動カバ２ｃ、３ｃと従動カバ２ｄ、３ｄとを有している。
【０００６】
側面視において、支持アーム４の中央部はスイングアーム２、３より少し大きな半径を持つ半円のアーチ形状を有しており、その断面は角を丸めた四角形状をしていて、同心逆回転減速機５を取り付ける部分の正面視の幅は広がっている。同心逆回転減速機５は出力軸部Ａ１１ａ、出力軸部Ｂ１３ａが支持アーム４の内側に向くようにして取り付けられ、モータ６はその軸６ａに取り付けた歯車Ｚ１が歯車Ｚ２とかみ合うようにして同心逆回転減速機５の箱体１５に取り付けられている。
同心逆回転減速機５の出力軸部Ｂ１３ａを有する軸Ｂ１３と一体である検知軸部１３ｂを、出力軸部Ｂ１３ａとは反対側に突き出るようにして、これにスイッチ当て７ａ、８ａを取り付け、さらにセンサ７ｂ、８ｂを取り付ける。同心逆回転減速機５、モータ６、等はカバ９により覆われている。
図１に示した位置にスイングアーム２、３がいるときを原位置とし、人間の頭部に取り付けた状態でスイングアーム２、３を旋回させ、これが肩の近くになったときを下降端位置として、それぞれの位置でセンサ７ｂ、８ｂがスイッチ当て７ａ、８ａを検知するように調整する。
【０００７】
同心逆回転減速機５は箱体１５の中に軸受１７により両端を支持された４本の軸にそれぞれ、（Ｚ２とＺ３）、（Ｚ４とＺ５）、（Ｚ６とＺ８）、（Ｚ７とＺ９）が組み付けられ、出力軸部Ａ１１ａを有する軸Ａ１１の小径部１１ｂに歯車Ｚ１１が、出力軸部Ｂ１３ａを有する軸Ｂ１３には歯車Ｚ１０が取り付けられている。ここで（Ｚ６とＺ７）、（Ｚ８とＺ９）、（Ｚ１０とＺ１１）とはそれぞれ同じ歯数の歯車とした。
歯車の組合せは（Ｚ１×Ｚ２）、（Ｚ３×Ｚ４）、（Ｚ５×Ｚ６）、（Ｚ８×Ｚ１０）及び（Ｚ６×Ｚ７）、（Ｚ９×Ｚ１１）のかみ合わせとしてあり、（Ｚ６×Ｚ７）以外の組合せはすべて回転速度を減速する組合せとしてある。
出力軸部１１ａを有する軸Ａ１１は円筒形状とし、出力軸部Ｂ１３ａを有する軸Ｂ１３を丸棒形状とし、軸Ａ１１と軸Ｂ１３とを互いに同心に取り付け、軸Ａ１１の内面１１ｃと軸Ｂ１３の外面１３ｃとの隙間に２個の軸受１２を取り付けた。また、軸Ａ１１は軸受１４を介して軸受ホルダ１５ａに保持されており、軸Ｂ１３は検知軸部１３ｂにおいて軸受１６を介して箱体１５に保持される構成とした。
【０００８】
本発明は、上記のように構成されており、以下その作用について説明する。軸Ａ１１と軸Ｂ１３の組合せたユニットは２個の軸受１４、１６で保持され、軸Ａ１１と軸Ｂ１３の間には２個の軸受１２が取り付けられているため、軸Ａ１１と軸Ｂ１３とは互いに回転自由に保持されている。
モータ６の軸６ａの回転力は（Ｚ１×Ｚ２）、（Ｚ３×Ｚ４）、（Ｚ５×Ｚ６）、（Ｚ８×Ｚ１０）の歯車の組合せにより、回転速度を減速しつつ軸Ｂ１３を駆動する。
一方、歯車Ｚ６は歯車Ｚ５の駆動を受けるだけでなく同時に歯車Ｚ７を駆動し、歯車Ｚ９が歯車Ｚ１１を駆動する。ここで、歯車Ｚ６と歯車Ｚ７、歯車Ｚ８と歯車Ｚ９、歯車Ｚ１０と歯車Ｚ１１とは歯数が同じ構成であるので、軸Ａ１１と軸Ｂ１３とは同じ回転速度で互いに逆方向に回転する。
【０００９】
本発明に係る頭髪加熱装置１は洗髪後の髪の乾燥や、頭髪にパーマ処理や染色処理の薬品をつけた後に使用する。頭部への取り付け位置はスイングアーム２、３の従動部カバ２ｄ、３ｄを額の前にして伝動部カバ２ｃ、３ｃを後頭部の後ろに位置するようにする。
ヒータにより赤外線を放射し頭髪を加熱しながら、モータ６を駆動するとスイングアーム２、３は原位置から旋回し下がり始める。スイングアーム２、３が頭のてっぺんから顔の側面を経由して肩の近くに至るまで下降すると、下降端位置にスイッチ当て８ａがきたことをセンサ８ｂが検知し停止する。軽く加熱する場合はここで中止すればよい。
さらに加熱するときは、モータ６を逆転させるとスイングアーム２、３が下降端位置から顔の側面を経由して頭のてっぺんまで上昇すると、原位置にスイッチ当て７ａが来たことをセンサ７ｂが検知し停止する。通常はスイングアームを何回も往復運動させ頭髪を加熱する場合が多い。
【００１０】
本頭髪加熱装置の支持方法については、通常は美容院で顧客が美容椅子に座って使用するので、美容椅子の側面や背面からブラケットを出して支持してもよいし、車輪付きの足を有する支柱に取り付ける方法もあり、特にこだわらない。
上記実施例の同心逆回転減速機の歯車の構成や減速する構成はいろんな組合せが可能である。入力回転速度を減速して出力すること、２つの出力軸が同じ中心を持つこと、２つの出力軸が同じ回転速度であって互いに逆方向に回転する構成の減速機であれば上記実施例にこだわらない。
また、上記実施例では２本のスイングアーム及び支持アームのアーチ形状を円弧と直線との組合せで構成したが、これにこだわることはない。人間の頭の形状に近似したアーチ形状であれば、楕円や放物線など他のアーチ形状であっても適当だからである。
また、上記実施例では２本のスイングアームの旋回中心を額と後頭部を結んだ線に置いたが、他に左右の耳を結んだ線と平行に２本のスイングアームの旋回中心を置いて、２本のスイングアームの一方が額の近くであって他方がうなじの近くにある時を下降端位置とし、その中間位置を原位置とした構成も考えられ、上記実施例にこだわるものではない。
【００１１】
【発明の効果】
本発明により、その内面にヒータを有する２本のアーチ形のスイングアームを、原位置から下降端位置の間を揺動させることにより、スイングアーム内面に取り付けたヒータが頭のてっぺんから肩の近くに至るまで、頭髪を局部的に順次加熱するようにして、一度に過大な熱エネルギを頭部に与えない頭髪加熱機を提供することができた。
また、ヒータと頭髪との距離を一定に保ち均一に熱エネルギを頭髪に供給することにより、過大な熱エネルギを局部的に与えない構造としたため、頭髪の部分的な変質や変色をおこさないという効果があった。
また、１本のスイングアームで加熱する範囲を約９０度程度としたため、往復運動の間に頭髪の温度が低下する部分が発生する問題をなくし、頭髪の温度を均一に上昇させることができたという効果があった。
さらに、２本のスイングアームを１個のモータで駆動することにより、簡素な装置とすると共に、２本のスイングアームの位置ずれの発生を防止し、熱エネルギを過大に与える部分の発生を防止するという効果が得られた。
【図面の簡単な説明】
【図１】本発明に係る頭髪加熱器の１実施例の正面図である。
【図２】本発明に係る頭髪加熱器の１実施例の側面図である。
【図３】図２のＧ部を拡大した断面図である。
【図４】同心逆回転減速機の１実施例の歯車の配置を一点鎖線で表した図である。
【図５】図４のＨ-Ｊ-Ｋ-Ｌ-Ｍ-Ｎ矢視を表した断面図である。
【図６】本発明に係る頭髪加熱機の１実施例の旋回途中の状態の斜視図である。
【符号の説明】
１  ・・・  頭髪加熱器
２  ・・・  スイングアーム
２ａ・・・  内面
２ｂ・・・  伝動部
２ｅ・・・  従導部
３  ・・・  スイングアーム
３ａ・・・  内面
３ｂ・・・  伝動部
３ｅ・・・  従導部
４  ・・・  支持アーム
４ａ・・・  従動軸
５  ・・・  同心逆回転減速機
６  ・・・  モータ
６ａ・・・  軸
７ａ・・・  スイッチ当て
７ｂ・・・  センサ
８ａ・・・  スイッチ当て
８ｂ・・・  センサ
９  ・・・  カバ
１１  ・・・  軸Ａ
１１ａ・・・  出力軸部Ａ
１１ｂ・・・  小径部
１１ｃ・・・  内面
１２  ・・・  軸受
１３  ・・・  軸Ｂ
１３ａ・・・  出力軸部Ｂ
１３ｂ・・・  検知軸部
１３ｃ・・・  外面
１４  ・・・  軸受
１５  ・・・  箱体
１５ａ・・・  軸受けホルダ
１６  ・・・  軸受
１７  ・・・  軸受
【図１】
0004295440.tif 000002
【図２】
0004295440.tif 000003
【図３】
0004295440.tif 000004
【図４】
0004295440.tif 000005
【図５】
0004295440.tif 000006
【図６】
0004295440.tif 000007